(57)【特許請求の範囲】
【請求項１】
フレームを用いて構成された筺体の外部から電力ケーブルを引き込むためのケーブル引込部が設けられたスイッチギヤであって、据え付けのために上記筺体を床面に沿って水平方向に移動する際に上記電力ケーブルと干渉する部位に配設されたフレーム部材が着脱容易に固定され、取り外した上記フレーム部材または別に用意されたフレーム材を、上記電力ケーブルと干渉せず上記ケーブル引込部より上記水平方向の移動方向に対して後方に固定するための少なくとも一対のフレーム固定部を備え、上記筺体は両側に柱状フレームを有し、上記一対のフレーム固定部は相互の間隔が対向する上記柱状フレームの内寸と同一であることを特徴とするスイッチギヤ。
【請求項２】
上記フレーム固定部は、上記筺体の両側下部の側部フレームに固定された一対の固定部材からなることを特徴とする請求項１記載のスイッチギヤ。
【請求項３】
上記フレーム固定部は、上記筺体の両側下部の側部フレームにそれぞれ設けられたネジ穴からなることを特徴とする請求項１記載のスイッチギヤ。
【請求項４】
上記フレーム固定部は、上記筺体の両側下部の側部フレームに沿って設けられた一対の固定用フレームからなることを特徴とする請求項１記載のスイッチギヤ。
【請求項５】
フレームを用いて構成された筺体の外部から電力ケーブルを引き込むためのケーブル引込部が設けられたスイッチギヤであって、据え付けのために上記筺体を床面に沿って水平方向に移動する際に上記電力ケーブルと干渉する部位に配設されたフレーム部材が着脱容易に固定され、取り外した上記フレーム部材を、上記電力ケーブルと干渉せず上記ケーブル引込部より上記水平方向の移動方向に対して後方に固定するためのフレーム固定部を備え、上記着脱容易に設けられたフレーム部材は、正規の位置に取り付けるための第１の固定部と、この第１の固定部よりもスパンが広く形成された上記フレーム固定部に仮固定するための第２の固定部が設けられてなることを特徴とするスイッチギヤ。
【請求項６】
上記着脱容易に設けられたフレーム部材は、上から見て幅広の凸字形状に形成されたものであることを特徴とする請求項５記載のスイッチギヤ。
【請求項７】
上記着脱容易に設けられたフレーム部材は、長さの異なるフレームを背中合わせに貼り付けた形状のものであることを特徴とする請求項５記載のスイッチギヤ。
【請求項８】
上記着脱容易に設けられたフレーム部材が正規の位置から取外されたときに、該正規の位置に、略Ｕ字形状または略Ｖ字形状で、その凹部側の頂点が上記筺体の内部に引き込む上記電力ケーブルの据付予定位置と略一致するように湾曲または屈曲された電力ケーブルガイド部材を装着するようにしたことを特徴とする請求項１から請求項７の何れかに記載のスイッチギヤ。
【請求項９】
上記電力ケーブルガイド部材を上下に離間して複数個所設けるようにしたことを特徴とする請求項８記載のスイッチギヤ。
【請求項１０】
フレームを用いて構成された筺体の外部から既設の電力ケーブルを引き込むためのケーブル引込部が設けられたスイッチギヤであって、据え付けのために上記筺体を床面に沿って水平方向に移動する際に上記電力ケーブルを引き込む部位に配設されるフレーム部材として、略Ｕ字形状または略Ｖ字形状で、その凹部側の頂点が上記筺体の内部に引き込む上記電力ケーブルの据付予定位置と略一致するように湾曲または屈曲された電力ケーブルガイド部材を装着してなることを特徴とするスイッチギヤ。
【発明の詳細な説明】
【技術分野】
【０００１】
本発明は、スイッチギヤに関し、特に据え付けに要する作業時間の短縮を図ったスイッチギヤに関するものである。
【背景技術】
【０００２】
配電設備の主要な機器であり、電気エネルギーを需要家の工場や建物へ供給する機能を備え、内部に遮断器と継電器等を備えた閉鎖金属盤であるスイッチギヤは経年により劣化し、要素機能の絶縁、遮断、あるいは保護などの性能が低下し、不慮の停電や場合によっては短絡・地絡に至る場合がある。経年により老朽化の進んだスイッチギヤを更新する際には作業員が充電部に接近することがないよう、更新作業中は電気エネルギーの供給を停止して行われる。その停電によって電気を動力源とする設備が停止すると、需要家は生産活動が行えなくなり、機会損失となるだけでなく、例えば鉄鋼設備や化学設備などでは長時間の停電が発生すると素材が固まり、導管などが詰まって設備が使用不可能になる、もしくは素材を除去するために大きな労力と時間が必要になるなどの問題が発生するため、停電時間は可能な限り短くすることが求められる。
【０００３】
停電はスイッチギヤの更新において更新対象のスイッチギヤの撤去時、新しいスイッチギヤ据え付け時、電力や電気的に情報をやり取りするケーブル取り付け作業を行うなどの現場据え付け作業の際に生じる。従って、スイッチギヤの現場据え付け作業を短縮することは、停電時間を短くすることになるため、スイッチギヤの更新における停電時間を短くしたいという課題を解決することができる。従来の技術として、ケーブルピットから立ち上がる主回路ケーブルを筐体の中へ導入する際に筐体を吊り上げなくても後方へ移動させればよいように、開口部を筐体の底面後部から背面下部へ向かってＬ字形に形成し、開口部を塞ぐ閉塞板を設けるようにしたものがある（例えば特許文献１参照）。
【先行技術文献】
【特許文献】
【０００４】
【特許文献１】特開平９−１９１５１０号公報（第１頁、図１）
【発明の開示】
【発明が解決しようとする課題】
【０００５】
上記のような従来の技術においては、スイッチギヤの背面に電力ケーブルを引き込むことができるだけの開口部と、後面下部の床板などを除く必要が生じるが、標準的なスイッチギヤ構成とは違うため、新たな構造の検討と、開口部を塞ぐ部位の点検の必要性が生じるなど、標準的なスイッチギヤと比較して製造と運用方法に変更の必要性が生じ、コストが増大するという課題があった。
【０００６】
この発明は上記のような従来技術の実情に鑑みなされたもので、電力ケーブルを電力ケーブル引込部から短時間で容易に引き込むことができ、しかも標準的な構成を僅かに変更するだけで良いスイッチギヤを得ることを目的としている。
【課題を解決するための手段】
【０００７】
この発明に係るスイッチギヤは、フレームを用いて構成された筺体の外部から電力ケーブルを引き込むためのケーブル引込部が設けられたスイッチギヤであって、据え付けのために上記筺体を床面に沿って水平方向に移動する際に上記電力ケーブルと干渉する部位に配設されたフレーム部材が着脱容易に固定され、取り外した上記フレーム部材または別に用意されたフレーム材を、上記電力ケーブルと干渉せず上記ケーブル引込部より上記水平方向の移動方向に対して後方に固定するための少なくとも一対のフレーム固定部を備え、上記筺体は両側に柱状フレームを有し、上記一対のフレーム固定部は相互の間隔が対向する上記柱状フレームの内寸と同一であることを特徴とするものである。
また、この発明に係るスイッチギヤは、フレームを用いて構成された筺体の外部から電力ケーブルを引き込むためのケーブル引込部が設けられたスイッチギヤであって、据え付けのために上記筺体を床面に沿って水平方向に移動する際に上記電力ケーブルと干渉する部位に配設されたフレーム部材が着脱容易に固定され、取り外した上記フレーム部材を、上記電力ケーブルと干渉せず上記ケーブル引込部より上記水平方向の移動方向に対して後方に固定するためのフレーム固定部を備え、上記着脱容易に設けられたフレーム部材は、正規の位置に取り付けるための第１の固定部と、この第１の固定部よりもスパンが広く形成された上記フレーム固定部に仮固定するための第２の固定部が設けられてなるものである。
そして、この発明に係るスイッチギヤは、フレームを用いて構成された筺体の外部から既設の電力ケーブルを引き込むためのケーブル引込部が設けられたスイッチギヤであって、据え付けのために上記筺体を床面に沿って水平方向に移動する際に上記電力ケーブルを引き込む部位に配設されるフレーム部材として、略Ｕ字形状または略Ｖ字形状で、その凹部側の頂点が上記筺体の内部に引き込む上記電力ケーブルの据付予定位置と略一致するように湾曲または屈曲された電力ケーブルガイド部材を装着してなるものである。
【発明の効果】
【０００８】
この発明においては、筺体を床面に沿って水平方向に移動する際に、電力ケーブルと干渉する部位のフレーム部材を着脱容易に設けると共に、取り外したフレーム部材または別に用意されたフレーム材を電力ケーブルと干渉せずに上記ケーブル引込部より上記水平方向の移動方向に対して後方に固定するための少なくとも一対のフレーム固定部を備え、上記一対のフレーム固定部は相互の間隔が筐体の両側に設けられた対向する柱状フレームの内寸と同一であるようにしたことにより、標準的なスイッチギヤ構成のまま大きく変更する必要が無い。このため、更新の際には電力ケーブルと干渉するフレーム部材を外して、筺体を床面に沿って水平移動させることで容易に電力ケーブルを筺体内部に引き込むことができる。従って、更新に必要な現場据え付け作業時間が短くなるため、更新時は停電時間を短くできる。
また、この発明においては、筺体を床面に沿って水平方向に移動する際に、電力ケーブルと干渉する部位のフレーム部材を着脱容易に設けると共に、上記着脱容易に設けられたフレーム部材は、正規の位置に取り付けるための第１の固定部と、この第１の固定部よりもスパンが広く形成された上記フレーム固定部に仮固定するための第２の固定部が設けられてなることにより、標準的なスイッチギヤ構成のまま大きく変更する必要が無い。このため、更新の際には電力ケーブルと干渉するフレーム部材を外して、筺体を床面に沿って水平移動させることで容易に電力ケーブルを筺体内部に引き込むことができる。従って、更新に必要な現場据え付け作業時間が短くなるため、更新時は停電時間を短くできる。
そして、この発明においては、据え付けのために筺体を床面に沿って水平方向に移動する際に電力ケーブルを引き込む部位に配設されるフレーム部材として、略Ｕ字形状または略Ｖ字形状で、その凹部側の頂点が上記筺体の内部に引き込む上記電力ケーブルの据付予定位置と略一致するように湾曲または屈曲された電力ケーブルガイド部材を装着したことにより、据付時にスイッチギヤを水平移動して電力ケーブルを筐体内部に引き込む際に、電力ケーブルガイド部材が不安定な電力ケーブルをガイドすることによって据え付け作業を一層容易にすることができる。
【図面の簡単な説明】
【０００９】
【図１】この発明の実施の形態１に係るスイッチギヤの概要構成を概念的に示す側面断面図。
【図２】図１に示されたスイッチギヤを据付ける際の動作を説明する側面断面図。
【図３】図１に示されたスイッチギヤの電力ケーブルと干渉するフレーム部材である幅方向フレームとその近傍を示す斜視図。
【図４】図３に示された幅方向フレームをフレーム固定部に付け替えた状態を示す斜視図。
【図５】上記実施の形態１の変形例を示す斜視図。
【図６】この発明の実施の形態２に係るスイッチギヤの要部を概念的に示す斜視図。
【図７】図６に示されたフレーム固定部に正規の位置のフレーム部材とは別に用意されたフレーム材を固定した状態を示す斜視図。
【図８】この発明の実施の形態３に係るスイッチギヤの要部を概念的に示す斜視図であり、フレーム固定部に正規の位置のフレーム部材を仮固定した状態を示す。
【図９】この発明の実施の形態４に係るスイッチギヤの要部を概念的に示す図であり、（ａ）はフレーム部材が正規の位置に固定された状態を示す斜視図、（ｂ）は前記フレーム部材を示す平面図。
【図１０】図９に示されたフレーム部材を外してフレーム固定部に仮固定した状態を示す斜視図。
【図１１】上記実施の形態４の変形例を示す斜視図。
【図１２】図１１に示された変形例によるフレーム部材を外してフレーム固定部に仮固定した状態を示す斜視図。
【図１３】この発明の実施の形態５に係るスイッチギヤの要部を概念的に示す斜視図であり、略Ｕ字形状の電力ケーブルガイド部材を装着した状態を示している。
【図１４】実施の形態５の第１の変形例による電力ケーブルガイド部材を装着した状態を示す斜視図。
【図１５】実施の形態５の第２の変形例による略Ｖ字形状の電力ケーブルガイド部材を装着した状態を示す斜視図。
【図１６】実施の形態５の電力ケーブルガイド部材を上下に離間して複数個所設けた第３の変形例を示す斜視図。
【発明を実施するための形態】
【００１０】
実施の形態１．
以下、この発明の実施の形態１に係るスイッチギヤについて、図１から図５を参照して説明する。図において、スイッチギヤ１は図１の側面断面図に概念的に示すように筺体２、その内部に収容された母線導体３Ａ、開閉器３Ｂ、及び図示省略している操作装置等から構成され、後方（図１の右側）下部には電力ケーブル４を引き込むためのケーブル引込部２１が設けられている。筺体２は各辺にフレーム５を用いて構成されており、ケーブル引込部２１が設けられた筺体２の後方下部では、図３に示すように断面Ｌ字状の型材からなる側部フレーム５１、断面ロ字状の型材からなる柱状フレーム５２、据付時に筺体２を床面７に沿って水平方向に移動する際に電力ケーブル４と干渉する部位に配設されたフレーム部材としての断面Ｌ字状の型材からなる幅方向フレーム５３が用いられている。
【００１１】
筺体２の両側下部の側部フレーム５１におけるケーブル引込部２１よりも前方側（図３の右上側）には、正規の位置から取り外した幅方向フレーム５３を仮固定するためのフレーム固定部６としての、この例ではブロック状の一対の固定部材６１が固定されている。幅方向フレーム５３は、この例では断面Ｌ字状に形成されていることで柱状フレーム５２の取付部５２ａ、または固定部材６１に対して図示省略しているボルトで容易に固定・取り外し可能な構成となっている。なお、作業現場でスパナなどの器具が使用可能なスペースが確保されれば断面形状などは特に限定されず、例えばコ字状などであっても差し支えない。電力ケーブル４は、図２の側面断面図に概念的に示すようにスイッチギヤ１を設置する場所の床面７に凹設されたケーブルピット７ａから立ち上げられている。
【００１２】
なお、筺体２を構成する側壁、床板、天板などは従来のものと同様であるので図示を省略している。また、筺体２を構成する床板の後部におけるケーブル引込部２１は据え付けが完了するまで開放されており、電力ケーブル４の引き込み後、筺体内部での接続作業が完了した後、図示省略している塞ぎ板で塞がれる。その他の構成は従来のスイッチギヤと同様であり、筺体２の前面部には扉２ａが開閉可能に取付けられ、背面部には保守点検用の開閉扉または開閉蓋（図示省略）が設けられており、その開閉扉を開け、または開閉蓋を取り外すことでケーブル引込部２１のアクセス空間が広く確保されるように構成されている。
【００１３】
次に、上記のように構成された実施の形態１の動作例について説明する。スイッチギヤ１をそっくり更新し、あるいは新たに設置する際に、スペース等の都合によりクレーンなどでスイッチギヤ１を吊り上げることが困難な場合には、図２に示すように設置場所に予め敷設されたケーブルピット７ａから電力ケーブル４が立ち上げられた所定位置にスイッチギヤ１を仮置きする。そして、図示していない背面側の開閉扉を開けて、幅方向のフレームの中で、スイッチギヤ１を床面７に沿って水平移動させて据え付ける際にケーブルピット７ａから立ち上げた電力ケーブル４と接触する可能性のある幅方向フレーム５３を図３に示す正規の位置から取り外して、図４に示すようにケーブル引込部２１に影響しないフレーム固定部６としての固定部材６１に対してボルトで仮固定する。
【００１４】
次に、図２の矢印Ａで示すようにスイッチギヤ１を図の右方向に床面７に沿って水平移動させ、ケーブルピット７ａから立ち上げられた電力ケーブル４がケーブル引込部２１内に入ったところで、スイッチギヤ１を位置決めする。その後、固定部材６１に仮固定した幅方向フレーム５３を取り外して図３に示す正規の位置に戻す。そして、スイッチギヤ１の筺体２内に引き込まれた電力ケーブル４の接続作業など、従来のものと同様の作業が行なわれる。スイッチギヤ１を図の右方向に床面７に沿って水平移動させるとき、幅方向フレーム５３がフレーム固定部６としての固定部材６１に固定されていることにより、筺体２の剛性が確保され、筺体２の変形が防止される。
【００１５】
なお、図５は上記実施の形態１の変形例を示しており、正規の位置の幅方向フレーム５３と同様の幅方向フレーム５３Ａをフレーム固定部６である固定部材６１に常時固定するようにしたものである。上記のような実施の形態１の変形例においては、幅方向フレーム５３Ａと固定用のボルトを別途用意する必要があるものの、据付時に正規の位置の幅方向フレーム５３を取り外すだけで、すぐに水平移動できる。フレーム固定部６への取り付け、取り外し作業を不要にできるので、作業時間、及び停電時間を一層短縮することができるという大きな利点がある。
【００１６】
上記のように、実施の形態１は、盤の新規設置あるいは更新のための据付時に、筺体２を床面７に沿って水平方向に移動する際に既設の電力ケーブル４と干渉する部位に設けられたフレーム部材である幅方向フレーム５３が着脱容易に固定され、取り外した幅方向フレーム５３または別に用意されたフレーム材（幅方向フレーム５３Ａ）を、電力ケーブル４と干渉する恐れが無く、筺体２の強度を保持し得る側部フレーム５１に設置されたフレーム固定部６としてのブロック状の固定部材６１に固定し得るようにしたものである。
【００１７】
このため、実施の形態１によれば、標準的なスイッチギヤ構成に対して、幅方向フレーム５３をボルトとスパナによる単純な固定方式で着脱容易にすると共に、固定部材６１を設けるだけでよいので、大きく変更する必要が無い。また、ケーブル引込部２１は筺体２の背面側の保守点検用の開閉扉（図示省略）を開くだけで開放されるので、標準構成を変更する必要が無い。そして、更新作業としては、例えば幅方向フレーム５３を外して固定部材６１に仮固定し、筺体２を床面７に沿って水平移動させだけで電力ケーブル４が筺体２に接触することなく内部に引き込まれる。このため電力ケーブルの特別な引き込み作業、電力ケーブルの延長・短縮作業、電力ケーブルのケーブルピット落としこみ作業が不要であり、速やかなスイッチギヤ据付が可能となる。
【００１８】
従って、更新に必要な現場据え付け作業時間を短くできるため、更新時は停電時間が短くなり、停電によって生じる損失を小さくできる。また、更新時に限らず、新設時においても現場での据付作業時間が短くなるため、工事費用を小さくできる。なお、幅方向フレーム５３の断面形状は特に限定されるものではない。また、側部フレーム５１など他のフレーム５についても、幅方向フレーム５３の着脱を妨げる形状や構造でなければ、材料の種別などは限定されないことは言うまでもない。
【００１９】
実施の形態２．
次に、この発明の実施の形態２に係るスイッチギヤについて、図６、図７を参照して説明する。なお、この実施の形態２は図に示すように、フレーム固定部６を、筺体２（図１、図２）の両側下部の側部フレーム５１を利用したネジ穴６２によって構成し、該ネジ穴６２に対して幅方向フレーム５３とは別に用意された、スパンが該幅方向フレーム５３よりも大きいフレーム材５４を図示省略しているボルトで仮固定するようにしたものである。その他の構成は実施の形態１と同様であるので説明を省略する。
【００２０】
上記のように構成された実施の形態２においては、電力ケーブルと干渉する部位に設けられた幅方向フレーム５３を据付現場で取り外してケーブル引込部２１を開放する一方、補強用のフレーム材５４をフレーム固定部６としてのネジ穴６２に装着する。そして、スイッチギヤを水平移動して電力ケーブルを引き込んだ後、幅方向フレーム５３を正規の位置に取付けることで、実施の形態１と同様の効果が得られる。なお、補強用のフレーム材５４は据付作業時及び据付後の稼働時とも、電力ケーブルと干渉する虞のない部分に配設したものであるので、実施の形態１と同様に、図７に示す如く工場出荷時から装着したままとしても差し支えない。
【００２１】
実施の形態３．
次に、この発明の実施の形態３に係るスイッチギヤについて図８を参照して説明する。なお、この実施の形態３は図８に示すようにフレーム固定部６として、筺体の両側下部の側部フレーム５１に沿って、相互の間隔が、対向する柱状フレーム５２の内寸と同一となるように設けられた一対の固定用フレーム６３を用いるようにしたものである。なお、固定用フレーム６３は、側部フレーム５１とは別の型材や板材等を用いることができる他、例えば側部フレーム５１自体を断面コ字状の型材とし、その内側の立辺を用いて構成するようにしても良い。その他の構成は上記実施の形態１と同様であるので説明を省略する。
【００２２】
上記のように構成された実施の形態３においては、実施の形態１と同様の作用により、同様の効果を得ることができる。また、固定用フレーム６３が前後方向に伸びて延在していることにより、幅方向フレーム５３の取付位置を筺体の前後方向に自由に調整することが容易であるという利点もある。
【００２３】
実施の形態４．
次に、この発明の実施の形態４に係るスイッチギヤについて図９から図１２を参照して説明する。なお、この実施の形態４は、着脱容易に設けられたフレーム部材として、図９（ｂ）に示すように、正規の位置に取り付けるための第１の固定部５５ａと、この第１の固定部５５ａよりもスパンが広く形成され、フレーム固定部６としてのネジ穴６２に仮固定するための第２の固定部５５ｂが設けられた、上から見て幅広の略凸字形状の幅方向フレーム５５を用いるようにしたものである。なお、図１１、図１２はその変形例を示しており、着脱容易に設けられたフレーム部材として、長さの異なるフレーム材を背中合わせに貼り付けた形状の幅方向フレーム５５Ａとしたものである。その他の構成は上記実施の形態２と同様であるので説明を省略する。
【００２４】
上記のように構成された実施の形態４においては、幅方向フレーム５５（５５Ａ）を正規の位置である柱状フレーム５２の下部に取付けるときには、第１の固定部５５ａを用いて取付部５２ａに固定し、据付時に水平移動して電力ケーブルを引き込む際には、第１の固定部５５ａのボルト（図示省略）を外した後、幅方向フレーム５５をそのまま筺体の中央部方向のフレーム固定部６であるネジ穴６２の部分までスライドさせ、幅方向フレーム５５の第２の固定部５５ｂを用いてネジ穴６２に仮固定することで、水平移動時の筺体の強度を確保することができる。なお、図１１、図１２に示す変形例の場合も同様である。
【００２５】
上記のように実施の形態４によれば、フレーム部材としての幅方向フレーム５５（５５Ａ）に、正規の位置に取り付けるための第１の固定部５５ａと、この第１の固定部５５ａよりもスパンが広く形成されたフレーム固定部６であるネジ穴６２に仮固定するための第２の固定部５５ｂを設けるようにしたものである。幅方向フレーム５５または幅方向フレーム５５Ａを用意し、仮固定するためのネジ穴６２を設けるという極めて簡単な変更のみで他は標準的な構成をそのまま用いることができ、実施の形態１と同様の効果を得ることができる。
【００２６】
実施の形態５．
次に、この発明の実施の形態５に係るスイッチギヤについて図１３から図１６を参照して説明する。なお、この実施の形態５は、上記実施の形態１〜４の少なくとも１つの構成のものに、着脱容易に設けられたフレーム部材（例えば図３の幅方向フレーム５３）が正規の位置から取外されたときに、該正規の位置に、帯状で略Ｕ字形状または略Ｖ字形状に湾曲または屈曲された電力ケーブルガイド部材８（８Ａ、８Ｂ）を、その凹部側の頂点８ａ（８ｂ、８ｃ）が筺体２（図１）の内部に引き込む電力ケーブル４の据付予定位置４ａと略一致するように装着するようにしたものである。
【００２７】
なお、電力ケーブルガイド部材８（８Ａ、８Ｂ）は、図１３〜１５に示すように、凹部側が筺体の外側を向くように取付部５２ａに装着するが、正規の位置から幅方向フレーム５３（図３）を一旦外した際には、筺体の剛性を保持するためにその正規の位置の幅方向フレーム５３などをフレーム固定部６としてのネジ穴６２に仮固定することが望ましい。また、電力ケーブルガイド部材８（８Ａ、８Ｂ）は、剛性の点で鉄系材料などの金属材が好ましく用いられるが、プラスチックなどを用いても差し支えない。
【００２８】
図１３は、略Ｕ字形状に湾曲された電力ケーブルガイド部材８を幅方向フレーム５３の正規の取付部５２ａに装着したものである。電力ケーブルガイド部材８の凹部側の頂点８ａは、図示していない電力ケーブルの据付予定位置４ａよりも筺体の前方側（図の右上側）に位置するように形成されている。図１４に示された第１の変形例では、電力ケーブルガイド部材８Ａの湾曲部が２段に構成され、凹部側の頂点８ｂを有する湾曲部が図１３の頂点８ａを有する湾曲部よりも狭く形成されている。また、図１５に示された第２の変形例では、電力ケーブルガイド部材８Ｂが略Ｖ字形状に形成され、凹部側の頂点８ｃは角張って形成されている。一方、図１６は、図１３に示された電力ケーブルガイド部材８を上下に離間して複数個所設けた第３の変形例を示している。
【００２９】
電力ケーブル４（図２）は更新対象となるスイッチギヤから外された後は、ケーブルピットから電力ケーブルが立ち上がった状態で、固定するものが何も無い。そのため、その状態を維持するのは自重と電力ケーブルの剛性のみとなり、簡単に動く不安定な状態となるので、スイッチギヤとケーブルが接触して損傷を生じる可能性がある。この実施の形態５は、そのような場合に好ましく用いることができるようにしたものであり、据付時にスイッチギヤを水平移動して電力ケーブルを筺体内部に引き込む際に、電力ケーブルガイド部材８（８Ａ、８Ｂ）が不安定な電力ケーブルをガイドすることにより、据付作業が一層容易となる効果が得られる。
【００３０】
実施の形態６．
なお、上記実施の形態５における図１３〜図１６についての説明では、フレーム部材としての幅方向フレーム５３（５５、５５Ａ）を正規の取付部５２ａから取り外した後に、その取付部５２ａに電力ケーブルガイド部材８（８Ａ、８Ｂ）を取り付けるように述べたが、これに限定されるものではない。即ち、この実施の形態６は幅方向フレーム５３（５５、５５Ａ）を利用せず、電力ケーブルガイド部材８（８Ａ、８Ｂ）自体をケーブル引込部２１の幅方向フレームとしたものである。この場合、工場出荷時から電力ケーブルガイド部材８（８Ａ、８Ｂ）をケーブル引込部２１に装着し、筺体２（図２）の強度を補うためにフレーム固定部６を構成するネジ穴６２に補強用のフレーム材５４（図７）を取り付けておくことが好ましい。
【００３１】
上記のように構成された実施の形態６においては、工場出荷時の姿のまま、背面側の保守点検用の開閉扉（図示省略）を開け、据え付けのためにスイッチギヤを床面に沿って水平方向に移動させ、既設の電力ケーブルを筺体内に引き込むことができる。なお、設置完了後、電力ケーブルガイド部材８（８Ａ、８Ｂ）は、取り外してもよいし、取り外さないで装着したままとすることもできる。このため、据付に要する時間を一層短縮できる。
【００３２】
なお、上記実施の形態１〜５では、筺体を床面に沿って水平方向に移動する際に電力ケーブルと干渉するフレーム部材が筺体の奥側下端部に有る場合について説明したが、これに限定されないことは言うまでもない。また、フレーム部材が筺体２の一辺から他辺まで（左端部から右端部まで）１本で構成されている場合について説明したが、大型のスイッチギヤなどで、複数本に構成されている場合でも、電力ケーブルと干渉する部位のフレーム部材のみを対象として同様に構成できることは明らかである。
【符号の説明】
【００３３】
１  スイッチギヤ、  ２  筺体、  ２１  ケーブル引込部、  ４  電力ケーブル、  ４ａ  据付予定位置、  ５  フレーム、  ５１  側部フレーム、  ５２  柱状フレーム、  ５２ａ  取付部、  ５３、５３Ａ  幅方向フレーム（フレーム部材）、  ５４  フレーム材、  ５５、５５Ａ  幅方向フレーム（フレーム部材）、  ５５ａ  第１の固定部、  ５５ｂ  第２の固定部、  ６  フレーム固定部、  ６１  固定部材、  ６２  ネジ穴、  ６３  固定用フレーム、  ７  床面、  ７ａ  ケーブルピット、  ８（８Ａ、８Ｂ）  電力ケーブルガイド部材、  ８ａ、８ｂ、８ｃ  頂点。
【図１】
0005495834.tif 000002
【図２】
0005495834.tif 000003
【図３】
0005495834.tif 000004
【図４】
0005495834.tif 000005
【図５】
0005495834.tif 000006
【図６】
0005495834.tif 000007
【図７】
0005495834.tif 000008
【図８】
0005495834.tif 000009
【図９】
0005495834.tif 000010
【図１０】
0005495834.tif 000011
【図１１】
0005495834.tif 000012
【図１２】
0005495834.tif 000013
【図１３】
0005495834.tif 000014
【図１４】
0005495834.tif 000015
【図１５】
0005495834.tif 000016
【図１６】
0005495834.tif 000017